(57)【要約】      （修正有）【課題】外科的環境における滅菌を維持する。【解決手段】充電アセンブリ２００は、容器２１０および外部充電部分を含む。該容器は、基部２１２およびカバー２２２を含む。該基部は、内部容積を画定する。該カバーは、該内部容積を封入するために該基部と解除可能に係合可能である。該容器は、該内部容積を滅菌状態に維持するように構成される。少なくとも一つの電気接点２１８が、該基部の該内部容積の内に配置される。該外部充電部分は、該基部の該内部容積の内に位置付けられたバッテリーアセンブリを充電するために、該少なくとも一つの電気接点を介して、該容器に稼働可能に連結可能である。【選択図】図５Ａ
2014176684.tif 000002
【特許請求の範囲】
【請求項１】
充電アセンブリであって、該充電アセンブリは：
内部容積を画定する基部およびカバーを含む容器であって、該カバーは、該内部容積を封入するために該基部と解除可能に係合可能であり、該容器は、該内部容積を滅菌状態に維持するように構成される、容器；
該基部の該内部容積の内に配置された少なくとも一つの電気接点；および
外部充電部分であって、該外部充電部分は、該少なくとも一つの電気接点を介して該基部の該内部容積の内に位置付けられたバッテリーアセンブリを充電するために、該容器に稼働可能に連結可能である、外部充電部分
を含む、充電アセンブリ。
【請求項２】
前記容器は、前記内部容積の内に配置された少なくとも一つの充電ベイをさらに含み、該少なくとも一つの充電ベイは、バッテリーアセンブリを受け入れるように構成される、請求項１に記載の充電アセンブリ。
【請求項３】
前記容器の前記基部は、前記外部充電部分とのワイヤレス電力伝達のために構成されている、請求項１に記載の充電アセンブリ。
【請求項４】
前記容器の前記基部は、誘導コイルを組み入れる支持部材を含み、前記外部充電部分は、誘導充電マットを含み、該支持部材および該充電マットは、該支持部材と該充電マットとの間のワイヤレス電力伝達のために構成される、請求項３に記載の充電アセンブリ。
【請求項５】
前記容器は、該容器を前記外部充電部分に連結するための外部レセプタクルを含む、請求項１に記載の充電アセンブリ。
【請求項６】
コネクタケーブルをさらに含む請求項５に記載の充電アセンブリであって、該コネクタケーブルは、前記容器の前記外部レセプタクルと前記外部充電部分との間を、該容器の該外部レセプタクルと該外部充電部分との間での電力の伝達のために、連結するように構成される、充電アセンブリ。
【請求項７】
前記容器は、滅菌可能材料から形成される、請求項１に記載の充電アセンブリ。
【請求項８】
前記容器は、過酸化水素滅菌を介して滅菌可能である、請求項７に記載の充電アセンブリ。
【請求項９】
システムであって、該システムは：
外科用器具；
該外科用器具に電力供給するために該外科用器具と解除可能に係合可能であるバッテリーアセンブリであって、該バッテリーアセンブリは、滅菌可能である、バッテリーアセンブリ；ならびに
充電アセンブリであって、該充電アセンブリは：
容器であって、該容器は、該バッテリーアセンブリを受け入れるように構成された基部と、該バッテリーアセンブリを該容器の内に封入するために該基部と解除可能に係合可能であるカバーとを含み、該容器は、該バッテリーアセンブリを滅菌状態に維持するように構成される、容器；および
外部充電部分であって、該外部充電部分は、該バッテリーアセンブリを充電するために該容器に稼働可能に連結可能である、外部充電部分
を含む、充電アセンブリ
を含む、システム。
【請求項１０】
前記バッテリーアセンブリは、少なくとも一つの電気接点を含み、該バッテリーアセンブリは、該少なくとも一つの電気接点を通じて充電および放電をされる、請求項９に記載のシステム。
【請求項１１】
前記容器の内に配置された少なくとも一つの電気接点をさらに含む請求項１０に記載のシステムであって、該少なくとも一つの電気接点は、前記バッテリーアセンブリを充電するために、該バッテリーアセンブリの前記少なくとも一つの電気接点に連結されるように構成される、システム。
【請求項１２】
前記容器は、前記バッテリーアセンブリを受け入れるように構成された充電ベイを含む、請求項９に記載のシステム。
【請求項１３】
前記容器の前記基部は、前記外部充電部分とのワイヤレス電力伝達のために構成される、請求項９に記載のシステム。
【請求項１４】
前記容器は、該容器を前記外部充電部分に連結するための外部レセプタクルを含む、請求項９に記載のシステム。
【請求項１５】
前記容器および前記バッテリーアセンブリは、該バッテリーアセンブリが該容器の内に配置された状態で滅菌可能である、請求項９に記載のシステム。
【請求項１６】
前記容器および前記バッテリーアセンブリは、過酸化水素滅菌を介して滅菌可能である、請求項１５に記載のシステム。
【請求項１７】
方法であって、該方法は：
少なくとも一つの外科的タスクを行うためのバッテリー動力外科用デバイスからバッテリーアセンブリを脱係合する工程；
該バッテリーアセンブリを滅菌する工程；
容器を滅菌する工程；
該容器の内に該バッテリーアセンブリを封入する工程；
該バッテリーアセンブリを充電するために、外部充電部分を該容器に電気的に連結する工程；および
該滅菌されたバッテリーアセンブリを滅菌環境に戻す工程
を含む、方法。
【請求項１８】
前記バッテリーアセンブリを前記容器の内に封入する前記工程は、該バッテリーアセンブリおよび該容器が、該バッテリーアセンブリが該容器の内に封入された状態で滅菌されるように、該バッテリーアセンブリを滅菌する工程および該容器を滅菌する工程の前に行われる、請求項１７に記載の方法。
【請求項１９】
前記バッテリーアセンブリを充電するために前記外部充電部分を前記容器に連結する前記工程は、該外部充電部分のワイヤレス電力伝達構成要素と該容器のワイヤレス電力伝達構成要素とを互いに対して近接させる工程を含む、請求項１７に記載の方法。
【請求項２０】
前記バッテリーアセンブリを充電するために前記外部充電部分を前記容器に連結する前記工程は、該容器と該外部充電部分との間にコネクタケーブルを連結する工程を含む、請求項１７に記載の方法。
【請求項２１】
請求項１７〜２０に記載の方法は、前記バッテリーアセンブリを滅菌するためのものである、方法。
【発明の詳細な説明】
【技術分野】
【０００１】
本開示は、バッテリー充電、より特定すると、外科用器具バッテリーの滅菌をこのようなバッテリーの充電中に維持するための充電アセンブリに関連する。
【背景技術】
【０００２】
バッテリー動力外科用器具は、それらがデバイスを電気コンセントまたは外部電源に連結するケーブルの必要性を省くという点で有利である。バッテリー動力外科用器具のための典型的な充電可能バッテリーパックは、電力供給回路を介して互いに連結された一つまたはそれよりも多くの電池を収めるハウジングを含み、その電力供給回路を通じて、バッテリーパックは、電力を外科用器具に提供することと、電力を充電器から受け取ることとが可能である。
【０００３】
外科的環境における滅菌を維持することは、感染の可能性を減少させ、病気の拡散を防ぐことを助ける。滅菌外科的環境を維持するために、外科用器具類は、滅菌外科的環境に入る前に、滅菌され、滅菌状態において維持される。それゆえ、再利用可能な外科用器具、または外科用器具の再利用可能な構成要素は、例えばオートクレーブ処理またはＳｔｅｒｒａｄ（登録商標）システムの使用を介して、各使用の後および／または滅菌外科的環境に再び入る前に、滅菌されることが必要とされる。充電可能バッテリーパックは、追加的に、各使用または数回の使用の後に充電を必要とする。
【発明の概要】
【課題を解決するための手段】
【０００４】
本明細書において使用される場合、用語「遠位」がユーザーからより遠い部分として説明される部分を指し示す一方で、用語「近位」は、ユーザーからより近い部分として説明される部分を指し示す。さらに、矛盾しない限りにおいて、本明細書において説明される局面のうちの任意のものは、本明細書において説明される他の局面のうちの任意のものまたは全てと併せて使用され得る。
【０００５】
本開示の局面に従い、充電アセンブリが提供される。該充電アセンブリは、容器および外部充電部分を含む。該容器は、内部容積を画定する基部およびカバーを含む。該カバーは、該内部容積を封入するために該基部と解除可能に係合可能である。該容器は、該内部容積を滅菌状態に維持するように構成される。少なくとも一つの電気接点が、該基部の該内部容積の内に配置される。該外部充電部分は、該少なくとも一つの電気接点を介して該基部の該内部容積の内に位置付けられたバッテリーアセンブリを充電するために、該容器に稼働可能に連結可能である。
【０００６】
局面において、該容器は、該内部容積の内に配置された少なくとも一つの充電ベイを含む。該少なくとも一つの充電ベイは、バッテリーアセンブリを受け入れるように構成される。
【０００７】
局面において、該容器の該基部は、該外部充電部分とのワイヤレス電力伝達のために構成されている。より特定すると、該容器の該基部は、誘導コイルを組み入れる支持部材を含み得、該外部充電部分は、誘導充電マットを含み得る。該支持部材および該充電マットは、それらの間のワイヤレス電力伝達のために構成される。
【０００８】
局面において、該容器は、該容器を該外部充電部分に連結するための外部レセプタクルを含む。より特定すると、該充電アセンブリは、コネクタケーブルをさらに含み得、該コネクタケーブルは、該容器の該外部レセプタクルと該外部充電部分との間を、該容器の該外部レセプタクルと該外部充電部分との間での電力の伝達のために、連結するように構成される。
【０００９】
局面において、該容器は、滅菌可能材料から形成される。特に、該容器は、過酸化水素滅菌を介して滅菌のために構成され得る。
【００１０】
本開示に従い提供されるシステムは、外科用器具、バッテリーアセンブリ、および充電アセンブリを含む。該バッテリーアセンブリは、該外科用器具に電力供給するために該外科用器具と解除可能に係合可能である。該バッテリーアセンブリは、滅菌可能である。該充電アセンブリは、容器を含み、該容器は、該バッテリーアセンブリを受け入れるように構成された基部と、該バッテリーアセンブリを該容器の内に封入するために該基部と解除可能に係合可能であるカバーとを有する。該容器は、該バッテリーアセンブリを滅菌状態に維持するように構成される。該充電アセンブリは、外部充電部分をさらに含む。該外部充電部分は、該バッテリーアセンブリを充電するために該容器に稼働可能に連結可能である。
【００１１】
局面において、該バッテリーアセンブリは、少なくとも一つの電気接点を含み、該少なくとも一つの電気接点を通じて、該バッテリーアセンブリは、充電および放電をされる。
【００１２】
局面において、該容器は、少なくとも一つの電気接点をさらに含み、該少なくとも一つの電気接点は、該バッテリーアセンブリを充電するために、該バッテリーアセンブリの該少なくとも一つの電気接点に連結されるように構成される。
【００１３】
局面において、該容器は、該バッテリーアセンブリを受け入れるように構成された充電ベイを含む。
【００１４】
局面において、該容器の該基部は、該外部充電部分とのワイヤレス電力伝達のために構成される。代替的に、該容器は、該容器を該外部充電部分に連結するための外部レセプタクルを含み得る。
【００１５】
局面において、該容器および該バッテリーアセンブリは、該バッテリーアセンブリが該容器の内に配置された状態で滅菌可能である。特に、該容器および該バッテリーアセンブリは、過酸化水素滅菌を介して滅菌可能であり得る。
【００１６】
本明細書の局面に従い提供された方法は、バッテリー動力外科用デバイスで少なくとも一つの外科的タスクを行う工程と、該バッテリー動力外科用デバイスからバッテリーアセンブリを脱係合する工程と、該バッテリーアセンブリを滅菌する工程と、容器を滅菌する工程と、該容器の内に該バッテリーアセンブリを封入する工程と、該バッテリーアセンブリを充電するために外部充電部分を該容器に電気的に連結する工程と、該滅菌されたバッテリーアセンブリを滅菌環境に戻す工程とを含む。
【００１７】
局面において、該バッテリーアセンブリを該容器の内に封入する該工程は、該バッテリーアセンブリおよび該容器が、該バッテリーアセンブリが該容器の内に封入された状態で滅菌されるように、該バッテリーアセンブリを滅菌する工程および該容器を滅菌する工程の前に行われる。
【００１８】
局面において、該バッテリーアセンブリを充電するために該外部充電部分を該容器に連結する該工程は、該外部充電部分のワイヤレス電力伝達構成要素と該容器のワイヤレス電力伝達構成要素とを互いに対して近接させる工程を含む。
【００１９】
局面において、該バッテリーアセンブリを充電するために該外部充電部分を該容器に連結する該工程は、該容器と該外部充電部分との間にコネクタケーブルを連結する工程を含む。
【００２０】
本開示の様々な局面は、図面の参照により本明細書の下記において説明される。
本開示の一つの実施形態は、例えば、以下の項目を含む。
（項目１Ａ）
充電アセンブリであって、該充電アセンブリは：
内部容積を画定する基部およびカバーを含む容器であって、該カバーは、該内部容積を封入するために該基部と解除可能に係合可能であり、該容器は、該内部容積を滅菌状態に維持するように構成される、容器；
該基部の該内部容積の内に配置された少なくとも一つの電気接点；および
外部充電部分であって、該外部充電部分は、該少なくとも一つの電気接点を介して該基部の該内部容積の内に位置付けられたバッテリーアセンブリを充電するために、該容器に稼働可能に連結可能である、外部充電部分
を含む、充電アセンブリ。
（項目２Ａ）
上記容器は、上記内部容積の内に配置された少なくとも一つの充電ベイをさらに含み、該少なくとも一つの充電ベイは、バッテリーアセンブリを受け入れるように構成される、項目１に記載の充電アセンブリ。
（項目３Ａ）
上記容器の上記基部は、上記外部充電部分とのワイヤレス電力伝達のために構成されている、上記項目のいずれかに記載の充電アセンブリ。
（項目４Ａ）
上記容器の上記基部は、誘導コイルを組み入れる支持部材を含み、上記外部充電部分は、誘導充電マットを含み、該支持部材および該充電マットは、該支持部材と該充電マットとの間のワイヤレス電力伝達のために構成される、上記項目のいずれかに記載の充電アセンブリ。
（項目５Ａ）
上記容器は、該容器を上記外部充電部分に連結するための外部レセプタクルを含む、上記項目のいずれかに記載の充電アセンブリ。
（項目６Ａ）コネクタケーブルをさらに含む上記項目のいずれかに記載の充電アセンブリであって、該コネクタケーブルは、上記容器の上記外部レセプタクルと上記外部充電部分との間を、該容器の該外部レセプタクルと該外部充電部分との間での電力の伝達のために、連結するように構成される、充電アセンブリ。
（項目７Ａ）
上記容器は、滅菌可能材料から形成される、上記項目のいずれかに記載の充電アセンブリ。
（項目８Ａ）
上記容器は、過酸化水素滅菌を介して滅菌可能である、上記項目のいずれかに記載の充電アセンブリ。
（項目９Ａ）
システムであって、該システムは：
外科用器具；
該外科用器具に電力供給するために該外科用器具と解除可能に係合可能であるバッテリーアセンブリであって、該バッテリーアセンブリは、滅菌可能である、バッテリーアセンブリ；ならびに
充電アセンブリであって、該充電アセンブリは：
容器であって、該容器は、該バッテリーアセンブリを受け入れるように構成された基部と、該バッテリーアセンブリを該容器の内に封入するために該基部と解除可能に係合可能であるカバーとを含み、該容器は、該バッテリーアセンブリを滅菌状態に維持するように構成される、容器；および
外部充電部分であって、該外部充電部分は、該バッテリーアセンブリを充電するために該容器に稼働可能に連結可能である、外部充電部分
を含む、充電アセンブリ
を含む、システム。
（項目１０Ａ）
上記バッテリーアセンブリは、少なくとも一つの電気接点を含み、該バッテリーアセンブリは、該少なくとも一つの電気接点を通じて充電および放電をされる、上記項目のいずれかに記載のシステム。
（項目１１Ａ）
上記容器の内に配置された少なくとも一つの電気接点をさらに含む上記項目のいずれかに記載のシステムであって、該少なくとも一つの電気接点は、上記バッテリーアセンブリを充電するために、該バッテリーアセンブリの上記少なくとも一つの電気接点に連結されるように構成される、システム。
（項目１２Ａ）
上記容器は、上記バッテリーアセンブリを受け入れるように構成された充電ベイを含む、上記項目のいずれかに記載のシステム。
（項目１３Ａ）
上記容器の上記基部は、上記外部充電部分とのワイヤレス電力伝達のために構成される、上記項目のいずれかに記載のシステム。
（項目１４Ａ）
上記容器は、該容器を上記外部充電部分に連結するための外部レセプタクルを含む、上記項目のいずれかに記載のシステム。
（項目１５Ａ）
上記容器および上記バッテリーアセンブリは、該バッテリーアセンブリが該容器の内に配置された状態で滅菌可能である、上記項目のいずれかに記載のシステム。
（項目１６Ａ）
上記容器および上記バッテリーアセンブリは、過酸化水素滅菌を介して滅菌可能である、上記項目のいずれかに記載のシステム。
（項目１７Ａ）
方法であって、該方法は：
バッテリー動力外科用デバイスで少なくとも一つの外科的タスクを行う工程；
該バッテリー動力外科用デバイスからバッテリーアセンブリを脱係合する工程；
該バッテリーアセンブリを滅菌する工程；
容器を滅菌する工程；
該容器の内に該バッテリーアセンブリを封入する工程；
該バッテリーアセンブリを充電するために、外部充電部分を該容器に電気的に連結する工程；および
該滅菌されたバッテリーアセンブリを滅菌環境に戻す工程
を含む、方法。
（項目１８Ａ）
上記バッテリーアセンブリを上記容器の内に封入する上記工程は、該バッテリーアセンブリおよび該容器が、該バッテリーアセンブリが該容器の内に封入された状態で滅菌されるように、該バッテリーアセンブリを滅菌する工程および該容器を滅菌する工程の前に行われる、上記項目のいずれかに記載の方法。
（項目１９Ａ）
上記バッテリーアセンブリを充電するために上記外部充電部分を上記容器に連結する上記工程は、該外部充電部分のワイヤレス電力伝達構成要素と該容器のワイヤレス電力伝達構成要素とを互いに対して近接させる工程を含む、上記項目のいずれかに記載の方法。
（項目２０Ａ）
上記バッテリーアセンブリを充電するために上記外部充電部分を上記容器に連結する上記工程は、該容器と該外部充電部分との間にコネクタケーブルを連結する工程を含む、上記項目のいずれかに記載の方法。
（項目１Ｂ）
充電アセンブリであって、該充電アセンブリは：
内部容積を画定する基部およびカバーを含む容器であって、該カバーは、該内部容積を封入するために該基部と解除可能に係合可能であり、該容器は、該内部容積を滅菌状態に維持するように構成される、容器；
該基部の該内部容積の内に配置された少なくとも一つの電気接点；および
外部充電部分であって、該外部充電部分は、該少なくとも一つの電気接点を介して該基部の該内部容積の内に位置付けられたバッテリーアセンブリを充電するために、該容器に稼働可能に連結可能である、外部充電部分
を含む、充電アセンブリ。
（項目２Ｂ）
上記容器は、上記内部容積の内に配置された少なくとも一つの充電ベイをさらに含み、該少なくとも一つの充電ベイは、バッテリーアセンブリを受け入れるように構成される、上記項目のいずれかに記載の充電アセンブリ。
（項目３Ｂ）
上記容器の上記基部は、上記外部充電部分とのワイヤレス電力伝達のために構成されている、上記項目のいずれかに記載の充電アセンブリ。
（項目４Ｂ）
上記容器の上記基部は、誘導コイルを組み入れる支持部材を含み、上記外部充電部分は、誘導充電マットを含み、該支持部材および該充電マットは、該支持部材と該充電マットとの間のワイヤレス電力伝達のために構成される、上記項目のいずれかに記載の充電アセンブリ。
（項目５Ｂ）
上記容器は、該容器を上記外部充電部分に連結するための外部レセプタクルを含む、上記項目のいずれかに記載の充電アセンブリ。
（項目６Ｂ）コネクタケーブルをさらに含む上記項目のいずれかに記載の充電アセンブリであって、該コネクタケーブルは、上記容器の上記外部レセプタクルと上記外部充電部分との間を、該容器の該外部レセプタクルと該外部充電部分との間での電力の伝達のために、連結するように構成される、充電アセンブリ。
（項目７Ｂ）
上記容器は、滅菌可能材料から形成される、上記項目のいずれかに記載の充電アセンブリ。
（項目８Ｂ）
上記容器は、過酸化水素滅菌を介して滅菌可能である、上記項目のいずれかに記載の充電アセンブリ。
（項目９Ｂ）
システムであって、該システムは：
外科用器具；
該外科用器具に電力供給するために該外科用器具と解除可能に係合可能であるバッテリーアセンブリであって、該バッテリーアセンブリは、滅菌可能である、バッテリーアセンブリ；ならびに
充電アセンブリであって、該充電アセンブリは：
容器であって、該容器は、該バッテリーアセンブリを受け入れるように構成された基部と、該バッテリーアセンブリを該容器の内に封入するために該基部と解除可能に係合可能であるカバーとを含み、該容器は、該バッテリーアセンブリを滅菌状態に維持するように構成される、容器；および
外部充電部分であって、該外部充電部分は、該バッテリーアセンブリを充電するために該容器に稼働可能に連結可能である、外部充電部分
を含む、充電アセンブリ
を含む、システム。
（項目１０Ｂ）
上記バッテリーアセンブリは、少なくとも一つの電気接点を含み、該バッテリーアセンブリは、該少なくとも一つの電気接点を通じて充電および放電をされる、上記項目のいずれかに記載のシステム。
（項目１１Ｂ）
上記容器の内に配置された少なくとも一つの電気接点をさらに含む上記項目のいずれかに記載のシステムであって、該少なくとも一つの電気接点は、上記バッテリーアセンブリを充電するために、該バッテリーアセンブリの上記少なくとも一つの電気接点に連結されるように構成される、システム。
（項目１２Ｂ）
上記容器は、上記バッテリーアセンブリを受け入れるように構成された充電ベイを含む、上記項目のいずれかに記載のシステム。
（項目１３Ｂ）
上記容器の上記基部は、上記外部充電部分とのワイヤレス電力伝達のために構成される、上記項目のいずれかに記載のシステム。
（項目１４Ｂ）
上記容器は、該容器を上記外部充電部分に連結するための外部レセプタクルを含む、上記項目のいずれかに記載のシステム。
（項目１５Ｂ）
上記容器および上記バッテリーアセンブリは、該バッテリーアセンブリが該容器の内に配置された状態で滅菌可能である、上記項目のいずれかに記載のシステム。
（項目１６Ｂ）
上記容器および上記バッテリーアセンブリは、過酸化水素滅菌を介して滅菌可能である、上記項目のいずれかに記載のシステム。
（項目１７Ｂ）
方法であって、該方法は：
少なくとも一つの外科的タスクを行うためのバッテリー動力外科用デバイスからバッテリーアセンブリを脱係合する工程；
該バッテリーアセンブリを滅菌する工程；
容器を滅菌する工程；
該容器の内に該バッテリーアセンブリを封入する工程；
該バッテリーアセンブリを充電するために、外部充電部分を該容器に電気的に連結する工程；および
該滅菌されたバッテリーアセンブリを滅菌環境に戻す工程
を含む、方法。
（項目１８Ｂ）
上記バッテリーアセンブリを上記容器の内に封入する上記工程は、該バッテリーアセンブリおよび該容器が、該バッテリーアセンブリが該容器の内に封入された状態で滅菌されるように、該バッテリーアセンブリを滅菌する工程および該容器を滅菌する工程の前に行われる、上記項目のいずれかに記載の方法。
（項目１９Ｂ）
上記バッテリーアセンブリを充電するために上記外部充電部分を上記容器に連結する上記工程は、該外部充電部分のワイヤレス電力伝達構成要素と該容器のワイヤレス電力伝達構成要素とを互いに対して近接させる工程を含む、上記項目のいずれかに記載の方法。
（項目２０Ｂ）
上記バッテリーアセンブリを充電するために上記外部充電部分を上記容器に連結する上記工程は、該容器と該外部充電部分との間にコネクタケーブルを連結する工程を含む、上記項目のいずれかに記載の方法。
（項目２１Ｂ）
上記項目のいずれかに記載の方法は、上記バッテリーアセンブリを滅菌するためのものである、方法。
（摘要）
充電アセンブリは、容器および外部充電部分を含む。該容器は、基部およびカバーを含む。該基部は、内部容積を画定する。該カバーは、該内部容積を封入するために該基部と解除可能に係合可能である。該容器は、該内部容積を滅菌状態に維持するように構成される。少なくとも一つの電気接点が、該基部の該内部容積の内に配置される。該外部充電部分は、該基部の該内部容積の内に位置付けられたバッテリーアセンブリを充電するために、該少なくとも一つの電気接点を介して、該容器に稼働可能に連結可能である。
【図面の簡単な説明】
【００２１】
【図１】図１は、本開示に従う使用のために構成されたポータブルなバッテリー動力外科用器具の側方斜視図である。
【００２２】
【図２】図２は、本開示に従う使用のために構成された別のポータブルなバッテリー動力外科用器具の側方斜視図である。
【００２３】
【図３】図３は、本開示に従い提供され、図１および２の器具のいずれかまたは両方とともに使用されるために構成されたバッテリーアセンブリの側方斜視図である。
【００２４】
【図４】図４は、図３のバッテリーアセンブリの分解斜視図である。
【００２５】
【図５Ａ】図５Ａは、本開示に従い提供された滅菌および充電容器の分解斜視図である。
【００２６】
【図５Ｂ】図５Ｂは、中に配置された図３のバッテリーアセンブリを含む図５Ａの滅菌および充電容器の分解斜視図である。
【００２７】
【図６Ａ】図６Ａは、本開示に従い提供された関連のある外部充電構成要素と併せて示された図５Ａの滅菌および充電容器の斜視図である。
【００２８】
【図６Ｂ】図６Ｂは、本開示に従い提供され、本開示に従い提供された関連のある外部充電構成要素と併せて示された別の滅菌および充電容器の斜視図である。
【００２９】
【図７Ａ】図７Ａは、本開示に従い提供された充電デバイスを容れる滅菌ラップの斜視図である。
【００３０】
【図７Ｂ】図７Ｂは、図７Ａにおいて示された滅菌ラップおよび充電デバイスの側方図である。
【発明を実施するための形態】
【００３１】
ここで図１および２を参照すると、図１は、ポータブルなバッテリー動力外科用器具２を描写し、図２は、ポータブルなバッテリー動力超音波外科用器具１０２を描写する。本明細書における目的のために、電気外科用器具（例えば、器具２）、超音波器具（例えば、器具１０２）、または任意の他の好適なバッテリー動力デバイス（例えば、外科用器具、ハンドヘルドツール、電子デバイスなど）のいずれかが、本開示に従い利用され得る。明らかに、異なる考慮が各特定のタイプのデバイスに適用される；しかしながら、本開示の特徴および局面は、任意の好適なバッテリー動力デバイスに関して、等しく適用可能であり、概して一致したままである。本明細書における目的のために、電気外科用器具２および超音波器具１０２が、概して説明される。
【００３２】
図１を参照すると、電気外科用鉗子として示された電気外科用器具２は、概して、ハウジング４、バッテリーアセンブリ１８、電気外科用ジェネレータ２８、ハンドルアセンブリ６、回転アセンブリ７、シャフト８、トリガーアセンブリ１０、駆動アセンブリ（図示せず）、およびエンドエフェクタアセンブリ１２を含む。エンドエフェクタアセンブリ１２は、エンドエフェクタアセンブリ１２の顎部材１４、１６の一方または両方の、それらの間の組織を把持するための近接位置と離隔位置との間での運動を授与するための駆動アセンブリ（図示せず）を介して、ハンドルアセンブリ６に機能的に接続する。
【００３３】
続けて図１を参照すると、シャフト８は、それの近位端２０でハウジング４に連結され、そのシャフトは、ハウジング４から遠位方向に延びることによって長手方向軸「Ａ−Ａ」を画定する。顎部材１４および１６を含むエンドエフェクタアセンブリ１２は、シャフト８の遠位端２２に配置される。エンドエフェクタアセンブリ１２は、顎部材１６がシャフト８に対して固定され、顎部材１４が顎部材１６およびシャフト８に対して離隔位置と近接位置との間で枢動可能であるような片側性アセンブリとして構成されるように示される。しかしながら、この構成は、例えば顎部材１４がシャフト８に対して固定され、顎部材１６が顎部材１４およびシャフト８に対して枢動可能であるように、反対にされ得る。代替的に、エンドエフェクタアセンブリ１２は、例えば両方の顎部材１４、１６が互いおよびシャフト８に対して離隔位置と近接位置との間で枢動可能であるような、両側性アセンブリとして構成され得る。
【００３４】
電気外科用器具２は、両極性器具として構成され得る。すなわち、顎部材１４、１６の各々は、アクティブ（もしくはアクティブ可能）電極および／またはリターン電極として機能するように構成される対応する密閉プレート１５、１７を含み得る。各密閉プレート１５、１７は、一つまたはそれよりも多くの電気リード線（図示せず）を介してジェネレータ２８に電気的に連結され、その電気リード線は、ジェネレータ２８からシャフト８を通って延び、最終的に、密閉プレート間に把持された組織を通じてエネルギーを伝導するための密閉プレート１５、１７のうちの一方または両方に連結する。しかしながら、鉗子２は、代替的に、単極性器具として構成され得る。
【００３５】
ハンドルアセンブリ６は、離隔位置と近接位置との間でエンドエフェクタアセンブリ１２の顎部材１４、１６を動かすために、固定ハンドル部分４２に対して可動である可動ハンドル４０を含む。回転アセンブリ７は、長手方向軸「Ａ−Ａ」の周りでいずれかの方向に回転可能であることによって、シャフト８を回転させ、それゆえ、エンドエフェクタアセンブリ１２を長手方向軸「Ａ−Ａ」の周りで回転させる。トリガーアセンブリ１０は、ナイフ刃（図示せず）を含むナイフアセンブリ（図示せず）と稼働可能に連絡し、そのナイフ刃は、顎部材１４、１６の間で選択的に並進可能であることによって、例えばトリガーアセンブリ１０のトリガー１１の作動の際、それらの間に把持された組織を切断する。
【００３６】
図１を続けて参照すると、ハウジング４は、電気機械的ジェネレータ２８およびバッテリーアセンブリ１８を解除可能に係合するように構成される。ジェネレータ２８がハウジング４の本体部分４４と解除可能に係合可能である一方で、バッテリーアセンブリ１８は、ハウジング４の固定ハンドル部分４２と解除可能に係合可能である。より特定すると、バッテリーアセンブリ１８は、バッテリーアセンブリ１８がハウジング４の定置ハンドルとして機能することによって鉗子２の把持を容易にするように、ハウジング４の固定ハンドル部分４２に係合するように構成される。ジェネレータ２８は、ハウジング４の本体部分４４に解除可能に係合し、バッテリーアセンブリ１８の取り外しと関連して、または独立に、本体部分４４から選択的に取り外し可能であり得る。
【００３７】
鉗子２が組み立てられた場合、ジェネレータ２８は、バッテリーアセンブリ１８と稼働可能に連絡するように配置されることによって、組織を電気外科的に処置するために（例えば、組織を密閉するために）、電気外科的エネルギーをエンドエフェクタアセンブリ１２に提供するが、鉗子２は、代替的に、任意の他の好適な形態のエネルギー（例えば、熱エネルギー、マイクロ波エネルギー、光エネルギーなど）を組織に送達するように構成され得る。電気外科的組織処置に関して、ジェネレータ２８は、バッテリーアセンブリ１８からの電気的エネルギーをＲＦエネルギー波形に変換する好適な電子装置を含むことによって、顎部材１４、１６の一方または両方にエネルギーを付与し得る。すなわち、ジェネレータ２８は、顎部材１４の密閉プレート１５および／または顎部材１６の密閉プレート１７にＲＦエネルギーを伝達することによって、組織を処置するためにそれらの間にエネルギーを伝導するように構成され得る。ハウジング４に配置された作動スイッチ１は、ジェネレータ２８が、ＲＦエネルギーを発生させて、次いでそのＲＦエネルギーを顎部材１４、１６のそれぞれの密閉プレート１５および／または密閉プレート１７に、それらの間に把持された組織を処置するために伝達することを、選択的に可能にするように作動可能である。
【００３８】
ここで図２を参照すると、超音波器具１０２は、図１において示された鉗子２の構成要素に類似する構成要素、すなわち、ハウジング１０４、バッテリーアセンブリ１１８、ジェネレータ１２８、ハンドルアセンブリ１０６、シャフト１０８、およびエンドエフェクタ１１２を含む。したがって、超音波器具１０２と鉗子２（図１）との間の差異のみが、下記で詳細に説明される。
【００３９】
ハウジング１０４は、超音波ジェネレータ１２８およびバッテリーアセンブリ１１８を解除可能に係合するように構成される。シャフト１０８は、ハウジング１０４から遠位方向に延びることによって、長手方向軸「Ｂ−Ｂ」を画定し、それの遠位端１２２に配置されたエンドエフェクタアセンブリ１１２を含む。エンドエフェクタアセンブリ１１２の顎部材１１４および１１６の一方または両方は、例えば可動ハンドル１２４の作動の際、開放位置と、組織をそれらの間に把持するための締め付け位置との間で互いに対して可動である。さらに、顎部材の一方（例えば、顎部材１１６）は、顎部材１１４と１１６との間に把持された組織を超音波的に処置するように選択的に活性化可能である活性化超音波刃または振動超音波刃として働く。
【００４０】
ジェネレータ１２８は、バッテリーアセンブリ１１８により提供された電気的エネルギーを、導波路の端（例えば、刃１１６）での運動を生成する機械的エネルギーに変換するように構成されたトランスデューサー（図示せず）を含む。より特定すると、ジェネレータ１２８の電子装置（明確には図示せず）は、バッテリーアセンブリ１１８により提供された電気的エネルギーを、トランスデューサー（図示せず）を駆動する高電圧ＡＣ波形に変換する。トランスデューサー（図示せず）および導波路がそれらの共振周波数で駆動される場合、機械的（例えば、超音波的）運動が、顎部材１１４、１１６の間に把持された組織を処置するために、活性化した顎部材１１６で生成される。さらに、ハウジング１０４に配置された活性化ボタン１１０は、器具１０２を２つの稼働モード（低パワー稼働モードおよび高パワー稼働モード）で稼働するように選択的に活性化可能である。
【００４１】
図３〜４を参照すると、バッテリーアセンブリ１１８は、概して、外方ハウジング１３０、バッテリーパック１４０、バッテリー回路１５９、および接触キャップ１８０を含む。電気外科的器具２（図１）のバッテリーアセンブリ１８は、バッテリーパック１１８に類似するように構成され得、それゆえ、簡潔性を目的として本明細書においては説明されない。
【００４２】
バッテリーアセンブリ１１８の外方ハウジング１３０は、バッテリーパック１４０およびバッテリー回路１５９を収めるよう協働する第一および第二のハウジング部品１３２、１３４から形成される。ハウジング部品１３２、１３４は、それぞれ、切り欠き１３３、１３５を画定し、それらは、接触キャップ１８０を保持するように構成されたウィンドウを形成するよう協働する。接触キャップ１８０は、バッテリー回路１５９に電気的に連結され、そのバッテリー回路は、次いで、バッテリーパック１４０に電気的に連結される。接触キャップ１８０は、バッテリーアセンブリ１１８（例えば、バッテリーパック１４０およびバッテリー回路１５９）とバッテリー動力デバイス（例えば、電気的外科用器具２（図１）または超音波器具１０２（図２））およびバッテリー充電デバイス（例えば、充電アセンブリ２００（図６Ａ）、充電アセンブリ３００（図６Ｂ）、または充電アセンブリ４００（図７Ａ〜７Ｂ））の両方との間の電気的インターフェースを、それらの間の電力および／または制御信号の伝達のために提供するように構成された複数の接点１８２を含む。バッテリーパック１４０は、複数の電池アセンブリ１４２ａ、１４２ｂ、１４２ｃ、１４２ｄ（例えば、四つの電池アセンブリ１４２ａ〜１４２ｄ）を含むが、より多いまたはより少ない電池アセンブリ１４２ａ〜１４２ｄもまた、想定される。
【００４３】
ここで図５Ａ〜図７Ｂを参照するが、バッテリーアセンブリの滅菌に関して、熱暴走および／またはバッテリーアセンブリに対する他の損傷のリスクは、バッテリーアセンブリの充電の状態が１００％に近付いている場合（例えば、バッテリーが完全またはほぼ完全に充電されている場合）に増加することが、見出されている。それゆえ、使用後、バッテリーアセンブリを充電する前に、バッテリーアセンブリを滅菌することが、その逆の順番よりも所望される。しかしながら、バッテリーアセンブリを充電する前にバッテリーアセンブリを滅菌することは、バッテリーアセンブリが充電プロセス中に滅菌状態に維持されることを必要とする。したがって、本開示は、バッテリーアセンブリ１１８（図３〜４）を滅菌状態に維持している最中、および／またはバッテリーアセンブリ１１８（図３〜４）の滅菌を可能にしている最中に、バッテリーアセンブリ１１８（図３〜４）または任意の他の好適な再充電可能バッテリーアセンブリを充電するために構成された充電アセンブリ２００、３００、４００の様々な実施形態（それぞれ、図５Ａ〜６Ａ、６Ｂ、および図７Ａ〜Ｂ）を提供する。充電アセンブリ２００、３００、４００の各々（それぞれ、図５Ａ〜６Ａ、６Ｂ、および図７Ａ〜Ｂ）は、次に、下記でよりいっそう詳細に説明される。
【００４４】
図５Ａ〜図６Ａを参照すると、充電アセンブリ２００が示され、その充電アセンブリは、概して、滅菌および充電容器２１０（図５Ａ〜５Ｂ）と外部充電部分２４０（図６Ａ）とを含む。滅菌および充電容器２１０は、概して、その中にバッテリーアセンブリ１１８を完全に封入および保持するように協働する基部２１２およびカバー２２２を含む。容器２１０は、滅菌材料（例えば、ポリカーボネートおよび低密度ポリエチレン（ＬＤＰＥ）のような熱可塑性物質）から形成され、かつ／または滅菌可能包装材（例えば、Ｔｙｖｅｋ（登録商標）のような合成包装材）の中に包装される。
【００４５】
特に図５Ａ〜５Ｂを参照すると、容器２１０の基部２１２は、略長方形の構成を画定するが、他の構成も想定される。基部２１２は、平面支持部材２１３、一対の対向する長壁２１５および一対の対向する短壁２１６を含む。長壁および短壁２１５、２１６は、それぞれ、基部２１２の内に内部容積を画定するために、平面支持部材２１３の外周の周りに配置される。平面支持部材２１３は、内部表面２１４ａおよび外部表面２１４ｂを画定し、下記でよりいっそう詳細に説明されるように、平面支持部材２１３の外部表面２１４ｂと外部充電部分２４０の充電表面２４４とが隣接している際（図６Ａ）にバッテリーアセンブリ１１８を誘導充電するために、誘導充電構成要素（例えば、誘導コイル）を組み入れる。誘導充電構成要素は、当該技術分野において公知である任意の好適な構成要素および／または特徴を含み得る。誘導充電の代替として、平面支持部材２１３は、当該技術分野において公知である任意の他の好適なワイヤレス充電構成要素を含み得る。
【００４６】
充電ベイ２１７は、平面支持部材２１３の内部表面２１４ａ上に配置され、バッテリーアセンブリ１１８を少なくとも部分的に受け入れるように構成される。充電ベイ２１７、またはそれの一部分は、バッテリーアセンブリ１１８に対して相補的な形状にされることによって、容器２１０の運搬中に基部２１２の内の定位置にバッテリーアセンブリ１１８を保持し得る。平面支持部材２１３の誘導構成要素に電気的に連結され、かつバッテリー１１８の二つまたはそれより多い接点１８２（図３〜４）と電気的に嵌め合うように構成された複数の接点２１８は、充電ベイ２１７の内に配置され、その結果として、充電ベイ２１７の内へのバッテリーアセンブリ１１８の着座の際、接点１８２（図３〜４）と接点２１８とは、互いに電気的に嵌め合う。容器２１０の基部２１２は、中に複数のバッテリーアセンブリ１１８を保持するために複数の充電ベイ２１７を含むこともまた、想定される。
【００４７】
基部２１２の短壁２１６は、各々、対応する係合特徴（例えば、カバー２２２のフランジ２２８の窪み２２９）を解除可能に係合するようにそれぞれが構成された一つまたはそれよりも多くの係合特徴（例えば、突出部２１９ａ）を含む。代替的または追加的に、係合特徴は、長壁２１５に配置され得る。短壁２１６は、さらに、運搬中に基部２１２の把持を容易にするように、かつ／またはカバー２２２と基部２１２との係合および取り外しを容易にするように構成された切り欠き２１９ｂを画定する。
【００４８】
図５Ａ〜５Ｂを続けて参照すると、容器２１０のカバー２２２は、平面部材２２４と、平面部材２２４の外周の周りを延びる張り出し２２６とを含む。平面部材２２４は、基部２１２の支持部材２１３に類似する寸法にされ、その結果として、基部２１２の周りへのカバー２２２の位置付けの際、張り出し２２６は、基部２１２の壁２１５、２１６の周りに配置され、かつそれらと隣接関係にあるように位置付けられることによって、カバー２２２を基部２１２の周りに係合する。カバー２２２の張り出し２２６は、それの対向する側面から延びる一対のフランジ２２８を含む（ただ一つのフランジ２２８のみが示されている）。フランジ２２８は、基部２１２の短壁２１６に沿って延びるように構成され、上記で述べられたように、各フランジ２２８は、基部２１２の対応する突出部２１９ａを受け入れるように構成された窪み２２９を含むことによって、カバー２２２を基部２１２の周りに解除可能に係合する。フランジ２２８は、カバー２２２に対して弾性的に可動であることによって、ユーザーが突出部２１９ａを窪み２２９から脱係合することで基部２１２からカバー２２２を解除することを可能にする。カバー２２２を基部２１２の周りに係合するための、かつ／または基部２１２の周りへのカバー２２２の解除可能な係合を容易にするための他の好適な解除可能係合メカニズムもまた、想定される。
【００４９】
図５Ａ〜５Ｂと併せて、ここで図６Ａを参照すると、充電アセンブリ２００の外部充電部分２４０は、充電表面２４４を画定する充電マット２４２を含む。電力コード２４６は、充電マット２４２に連結され、それから延びる。充電マット２４２は、バッテリーアセンブリ１１８を充電するために、電力を容器２１０にワイヤレスで提供するための誘導充電構成要素（例えば、誘導コイル）、または他の好適な構成要素を組み入れる。電力コード２４６は、外部充電部分２４０を標準的なコンセント（図示せず）に連結するためのレセプタクル２４８を含むが、他の構成もまた想定される。理解され得るように、バッテリーアセンブリ１１８が、充電マット２４２と容器２１０の平面支持部材２１３との間のワイヤレス電力送達、および最終的に容器２１０およびバッテリーアセンブリ１１８のそれぞれの電気的に連結された接点２１８、１８２を介して、外部充電部分２４０により充電されている最中に、滅菌状態で容器２１０の内に維持され得るので、外部充電部分２４０は、滅菌可能である必要も、滅菌状態に維持される必要もない。
【００５０】
ここで図６Ｂを参照すると、本開示に従って提供された充電アセンブリの別の実施形態が示され、それは、概して参照番号３００により同定される。充電アセンブリ３００は、滅菌および充電容器３１０を含み、その滅菌および充電容器は、充電アセンブリ２００の滅菌および充電容器２１０（図５Ａ〜６Ａ）に類似し、かつそれの特徴のいずれかを含み得る。したがって、簡潔性を目的として、充電アセンブリ３００と充電アセンブリ２００（図５Ａ〜図６Ａ）との間の差異のみが下記で詳細に説明される。充電アセンブリ３００は、さらに、外部充電部分３４０を含む。
【００５１】
充電アセンブリ３００の容器３１０は、容器３１０の基部３１２を形成する壁のうちの一つから延びるコネクタケーブル３３０を含む。より特定すると、容器３１０の基部３１２は、それの外部表面に配置されたレセプタクル３３２を含み、そのレセプタクルは、コネクタケーブル３３０の第一の端３３３を係合するように構成される。コネクタケーブル３３０の第一の端３３３は、レセプタクル３３２と解除可能に係合可能であっても、それに固定的に係合されてもよい。レセプタクル３３２は、容器３１０の充電ベイの内に配置された接点（明確に図示せず；容器２１０の接点２１８および充電ベイ２１７（図５Ａ〜５Ｂ）に類似する）に電気的に連結される。さらに、コネクタケーブル３３０は、容器３１０と同様に、少なくとも、コネクタケーブル３３０が容器３１０に固定的に係合される実施形態において滅菌可能であることが、想定される。
【００５２】
コネクタケーブル３３０は、それの第二の端３３５に延び、その第二の端は、プラグ３３６を含む。プラグ３３６は、充電アセンブリ３００の外部充電部分３４０の基部部材３４２に画定されたスロット３４４に解除可能に係合するように構成されるが、他の好適な解除可能係合メカニズムもまた想定される。例えば、コネクタケーブル３３０は、容器に固定的に係合されるのではなく、外部充電部分３４０に固定的に係合され得る。基部部材３４２は、バッテリーアセンブリ１１８（図３〜４）を充電するために、コネクタケーブル３３０および最終的に容器３１０に供給される電力を伝達および制御するための好適な回路を収める。基部部材３４２は、さらに、電力コード３４６を含み、その電力コードは、充電部分３４０を標準的なコンセント（図示せず）に連結するためのプラグ３４８をそれの自由端に有するが、他の構成もまた想定される。外部充電部分２４０（図６Ａ）に関して上記で説明されたのと同様に、外部充電部分３４０は、滅菌可能である必要も、滅菌状態に維持される必要もない。
【００５３】
図２および３と併せて、図５Ａ〜６Ａを再び参照すると、バッテリーアセンブリ１１８を充電するための充電アセンブリ２００の使用および稼動が、説明される。充電アセンブリ３００（図６Ｂ）の使用および稼動は、充電アセンブリ２００の使用および稼動に類似し、それゆえ、不必要な反復をさけるため、本明細書中では説明されない。
【００５４】
最初、バッテリー１１８が超音波器具１０２に係合された状態で、超音波器具１０２は、外科的処置中に一つまたはそれよりも多くの外科的タスクを行うために使用される。外科的処置の完了時に、バッテリーアセンブリ１１８は、超音波器具１０２から取り除かれ、例えば、蒸気滅菌（バッテリーアセンブリ１１８をオートクレーブの中に置くことによる）、過酸化水素滅菌（例えば、Ｓｔｅｒｒａｄ（登録商標）システムを使用する）、または他の好適な滅菌技術を介して滅菌される。上記で述べられたように、充電の前にバッテリーアセンブリ１１８を滅菌することは、熱暴走またはバッテリーアセンブリ１１８に対する他の損傷の可能性を減少させる。まだ滅菌されていない場合、容器２１０はまた、別個に滅菌されても、その中に配置されたバッテリーアセンブリ１１８とともに滅菌されてもよい。一つの特定の実施形態において、バッテリーアセンブリ１１８は、容器２１０の基部２１２の内に適切に着座させられ、容器２１０のカバー２２２は、基部２１２の周りに係合されることによって、滅菌の前にバッテリーアセンブリ１１８を容器２１０の内に封入し得る。その後、バッテリーアセンブリ１１８および容器２１０は、バッテリーアセンブリ１１８を取り除くことを必要とせずに、一つのユニットとして一緒に滅菌され得る。いくつかの状況において、滅菌のためにバッテリーアセンブリ１１８を容器２１０の内に置く前に、バッテリーアセンブリ１１８を清掃する（例えば、バッテリーアセンブリ１１８を拭く）ことが、所望され得る。
【００５５】
いったんバッテリーアセンブリ１１８が滅菌されると、バッテリーアセンブリ１１８は、バッテリーアセンブリ１１８が充電ベイ２１７の内に適切に着座させられ、容器２１０の接点２１８とバッテリーアセンブリ１１８の接点１８２とが互いに電気的に連結され得るように、容器２１０の基部２１２の中に置かれる（容器２１０の内で滅菌されない場合）。その後、カバー２２２は、基部２１２の周りに係合されることによって、バッテリーアセンブリ１１８を容器２１０の内に封入する。容器２１０の内へのバッテリーアセンブリ１１８の位置付けと、容器２１０の基部２１２の周りへの容器のカバー２２２の係合とは、バッテリーアセンブリ１１８または容器２１０の内部を滅菌されていない状態に曝さないように、滅菌環境で行われる。その後、容器２１０は、バッテリーアセンブリ１１８が容器２１０の内に封入されているので、バッテリーアセンブリ１１８の滅菌を損なうことなく滅菌環境から取り除かれ得る。
【００５６】
バッテリーアセンブリ１１８が容器２１０の内に封入された状態で、容器２１０は、充電マット２４２に置かれることによって、バッテリーアセンブリ１１８を充電し得る。理解され得るように、充電アセンブリ２００の滅菌されていない外部充電部分２４０は、バッテリーアセンブリ１１８の滅菌を損なうことなく、バッテリーアセンブリ１１８の充電を可能にする。図６Ｂを追加的に参照すると、充電アセンブリ３００に関して、ケーブルコネクター３３０は、外部充電部分３４０の基部部材３４２と容器３１０との間に連結されることによって、同様に、その滅菌を損なうことなくバッテリーアセンブリ１１８を充電する。いったんバッテリーアセンブリ１１８が十分に充電されると、バッテリーアセンブリ１１８は、バッテリーアセンブリ１１８のその後の使用のため、最終的に外科的器具（例えば、新しいまたは滅菌された超音波器具１０２（図２））との係合のために、滅菌された態様で容器２１０から滅菌された外科的環境へ取り除かれ得る。充電アセンブリ２００の使用が上記では特定の順番で説明されたが、上記で説明された使用の工程は、環境に応じて任意の適切な順番で行われることが、想定される。
【００５７】
ここで図７Ａ〜７Ｂを参照すると、概して、充電基部４１０と、充電基部４１０を筐体４２０の内に密封する滅菌包装また筐体４２０とを含む充電アセンブリ４００もまた、本開示に従って提供される。充電基部４１０が示され、その充電基部は、複数の充電ベイ４１２を含み、それらの充電ベイの各々は、バッテリーアセンブリ１１８を充電するためにバッテリーアセンブリ１１８を受け入れるように構成される。各充電ベイ４１２は、複数のＬＥＤ４１４をさらに含み、それらのＬＥＤは、充電ベイと連関し、そこで充電されているバッテリーアセンブリ１１８の充電状況および／または充電状態を指し示すように構成される。電力コード４１６は、充電基部４１０から延びる。電力コード４１６は、それの自由端に配置されたプラグ４１８を、充電基部４１０を標準的な壁コンセント（図示せず）に連結するために含むが、他の構成もまた想定される。さらに、充電基部４１０は、当該分野で公知である任意の追加的または代替的な特徴および／または構成要素を含むことによって、バッテリーアセンブリ（例えば、一つまたはそれよりも多くのバッテリーアセンブリ１１８）の充電を容易にし得る。
【００５８】
図７Ａ〜図７Ｂを続けて参照すると、筐体４２０は、充電基部４１０を包囲および封入する。筐体４２０は、滅菌バリアーとして働くことによって、充電基部４１０を滅菌状態に維持する。充電基部４１０は、（例えば、製造の最終局面として）滅菌されて製造中に筐体４２０の中に置かれること、または代替的に、滅菌充電基部４１０は、筐体４２０の内にエンドユーザーによりその滅菌を維持するために配置可能であることが、想定される。
【００５９】
筐体４２０は、バッテリーアセンブリ１１８の充電をモニターするため、または他の類似の目的のために、透明材料から形成されることによって、充電基部４１０の可視化を可能にすることが、想定される。図７Ｂにおいて最も良く示されるように、筐体４２０は、第一および第二のフラップ４２２、４２４を含み、それらのフラップは、閉鎖位置において互いに重なり合うことによって、充電基部４１０を完全に封入する。フラップ４２２、４２４は、この閉鎖位置から開放、離隔位置に可動であることによって、筐体４２０の中へのバッテリーアセンブリの挿入および／または取り除きを可能にする。フラップ４２２、４２４は、重なり合う閉鎖位置において、摩擦または任意の他の好適なメカニズム（例えば、磁石、スナップ留め、トングおよび溝係合など）を介して保持され得る。
【００６０】
図７Ａ〜７Ｂを続けて参照すると、筐体４２０は、さらに、その筐体を通して画定された開口部４２６を含み、その開口部は、充電基部４１０の電力コード４１６を受け入れるように構成される。開口部４２６は、電力コード４１６が筐体４２０を通して延びることを可能にし、その結果として、充電基部４１０が筐体４２０の内に滅菌状態で維持され得る一方で、電力コード４１６のプラグ４１８が、充電基部４１０に電力供給するための壁コンセント（図示せず）との係合のために、滅菌バリアーの外側に延びることを可能にする。開口部４２６は、Ｏリング４２８または他の好適な密封部材（例えば、密封ガスケット、圧縮リングなど）により、電力コード４１６の周りを密封するために包囲され得る。
【００６１】
使用において、上記で述べられたように、バッテリーアセンブリ１１８を損傷させ得る滅菌の前のバッテリーアセンブリ１１８の充電ではなく、バッテリーアセンブリ１１８は、滅菌され得、次いで、滅菌された態様で筐体４２０の中に送達され得、より特定すると、充電基部４１０の充電ベイ４１２のうちの一つとの係合状態になる。それゆえ、バッテリーアセンブリ１１８は、バッテリーアセンブリ１１８の滅菌を損なうことなく充電され得る。
【００６２】
本開示の数種の実施形態が図面において示されてきた一方で、本開示の範囲は当該技術分野において可能な限り広いので、本開示が実施形態に限定されることと、明細書が同様に読まれることとは、意図されない。それゆえ、上記の説明は、限定として解釈されるべきでなく、単なる特定の実施形態の例示として解釈されるべきである。当業者は、本明細書に添付の請求項の範囲および趣旨内の他の改変を想定する。
【符号の説明】
【００６３】
１０２      超音波器具
１１８      バッテリーアセンブリ
２００      充電アセンブリ
２１０      充電容器
２４０      外部充電部分
【図１】
2014176684.tif 000003
【図２】
2014176684.tif 000004
【図３】
2014176684.tif 000005
【図４】
2014176684.tif 000006
【図５Ａ】
2014176684.tif 000007
【図５Ｂ】
2014176684.tif 000008
【図６Ａ】
2014176684.tif 000009
【図６Ｂ】
2014176684.tif 000010
【図７Ａ】
2014176684.tif 000011
【図７Ｂ】
2014176684.tif 000012